(57)【要約】【目的】本発明は、ドリルの刃先から飛散する微粉を収集する吸塵装置に関し、ドリルの刃先とモータのシャフトとの間にファンおよび集塵用のフィルタを設けると共にこれら周囲を伸縮自在の蛇腹などで覆い、小型かつ簡単な構造で微粉を収集することを目的とする。【構成】  ドリルのドリルシャフトと刃先を固定したチャックとの間に設けたファンと、ファンの前方あるいは後方に設け、微粉を収集するフィルタと、刃先を覆う部分が伸縮自在であって、刃先の近傍で外部から空気を取り込む空気取込穴を設けると共にフィルタで微粉を除却した後の空気を外部に放出する空気排出穴とを設けたカバーとを備える。【選択図】        図１
2007083345.tif 000002
【特許請求の範囲】
【請求項１】
ドリルの刃先から飛散する微粉を収集する吸塵装置において、
ドリルのドリルシャフトと刃先を固定したチャックとの間に設けたファンと、
前記ファンの前方あるいは後方に設け、微粉を収集するフィルタと、
前記刃先を覆う部分が伸縮自在であって、前記刃先の近傍で外部から空気を取り込む空気取込穴を設けると共に前記フィルタで微粉を除却した後の空気を外部に放出する空気排出穴を設けたカバーと
を備えたことを特徴とする吸塵装置。
【請求項２】
前記刃先を覆う部分を透明としたことを特徴とする請求項１記載の吸塵装置。
【請求項３】
前記ドリルのドリルシャフトの先端に、ファンを持つユニット、あるいはファンとフィルタを持つユニットを取り付けた後に、刃先を固定するチャックを取り付けたことを特徴とする請求項１あるいは請求項２記載の吸塵装置。
【請求項４】
前記フィルタを前記ファンの前方、あるいはファンの後方、あるいは前記カバーの空気排出穴の近傍に設けたことを特徴とする請求項１から請求項３のいずれかに記載の吸塵装置。
【請求項５】
前記フィルタを前記カバーの空気排出穴の近傍に設けて当該フィルタと前記ファンとの間の空間に網状のゴミ収集部を設けたことを特徴とする請求項１から請求項４のいずれかに記載の吸塵装置。
【請求項６】
前記ファンに網のカバーを設けたことを特徴とする請求項１から請求項５のいずれかに記載の集塵装置。
【請求項７】
前記カバーは、刃先を覆う部分に、円筒状の伸縮自在な蛇腹を設けた、あるいは円筒状でスライドするスライド機構を設けたことを特徴とする請求項１から請求項６のいずれかに記載の集塵装置。
【発明の詳細な説明】
【技術分野】
【０００１】
本発明は、ドリルの刃先から飛散する微粉を収集する吸塵装置に関するものである。
【背景技術】
【０００２】
従来、ドリルで石膏ボードなどに穴をあけたりして粉塵が周囲に飛散し、周囲に例えば２４時間稼動中のサーバ等がる場合に、作業前に付近一帯を微粉が飛散しても問題がないように覆いをしたりなどの作業が必要となっていた。
【０００３】
これを解決するために、特許文献１には、電気ドリルのモータの後部に別途、ファンを取り付けると共に電気ドリルの刃先の部分から周囲に飛散する微粉を吸引するホースと当該ホースの前記ファンとの間に集塵器を設けて、微粉を収集していた。
【特許文献１】実開平０５−２９６１１号公報
【発明の開示】
【発明が解決しようとする課題】
【０００４】
しかし、上述した技術では、電気ドリルの先端から飛散した微粉を吸引するかなり太いホースを設置すると共にホースの他端から集塵器、更に、電気ドリルのモータの後部に取り付けたファンに接続する必要があり、構造が大型になってしまい電気ドリルが使い難いという問題があった。
【課題を解決するための手段】
【０００５】
本発明は、これらの問題を解決するため、ドリルの刃先とモータのシャフトとの間にファンおよび集塵用のフィルタを設けると共にこれら周囲を伸縮自在の蛇腹などで覆い、小型かつ簡単な構造で微粉を収集するようにしている。
【発明の効果】
【０００６】
本発明は、ドリルの刃先とモータのシャフトとの間にファンおよび集塵用のフィルタを設けると共にこれら周囲を伸縮自在の蛇腹などで覆うことにより、小型かつ簡単な構造で微粉を収集することが可能となる。
【発明を実施するための最良の形態】
【０００７】
本発明は、ドリルの刃先とモータのシャフトとの間にファンおよび集塵用のフィルタを設けると共にこれら周囲を伸縮自在の蛇腹などで覆い、小型かつ簡単な構造で微粉を収集することを実現した。
【実施例１】
【０００８】
図１は、本発明の概略説明図を示す。
図１の（ａ）は全体断面・外観図を示す。
【０００９】
図１の（ａ）において、ドリル本体１は、ドリルの本体であって、例えば汎用の電気ドリルである。ドリルは、電気ドリル、空気駆動ドリルなどいずれの駆動源をもとにドリルを駆動するものであってもよい。
【００１０】
モータ２は、ドリルシャフト３を回転させるモータである。図示は、直結式を示すが図示外の歯車で減速してトルクを増すようにしてもよい。
【００１１】
ドリルシャフト３は、モータ２からの回転力をチャック４に伝導するシャフトである。
チャック４は、刃先５を固定するものであって、ここでは、ファンユニット１９を介して当該チャック４を取り付けたものである。
【００１２】
刃先５は、チャック４に取り付けて被削材９に穴を開けるものである。
被削材９は、ボードなどの刃先５で穴を開ける対象であって、ここでは、微粉を飛散させるものである。
【００１３】
カバー１１は、刃先５が被削材９に穴を開けた際に飛散させる微粉を収集するためのものであって、ここでは、伸縮自在カバー（透明）１２、基本カバー１３から構成されるものである。
【００１４】
伸縮自在カバー（透明）１２は、刃先５の部分を伸縮自在に覆う透明な機構（例えば蛇腹、円筒状のスライド機構など）であって、ここでは、外部から空気を取り込む空気取込穴１４を多数設けたものである。空気取込穴１４は刃先５より右側に設けることが望ましい。伸縮カバーの先端付近に穴を開けたのでは穴を開ける際に伸縮カバーの伸縮により穴がつぶれるおそがあるからである。
【００１５】
空気取込穴１４は、ファンが回転したことで、外部から空気を取り込む小さな多数の穴である。
【００１６】
基本カバー１３は、伸縮自在カバー（透明）１２にバンド式止め金具１６で固定した円筒状のカバーであって、ここでは、フィルタ１７で微粉を除却後の空気を外部に排出する多数の空気排出穴１５を設けたものである。
【００１７】
空気排出穴１５は、ファンが回転したことで、フィルタ１７で微粉を取り除いた後の空気を外部に排出するための小さな多数の穴である。
【００１８】
バンド式止め金具１６は、伸縮自在カバー（透明）１２と基本カバー１３とを固定する金具である。
【００１９】
フィルタ１７は、微粉を収集し、空気を通過するフィルタである。
外フィルタストッパー１８および内フィルタストッパ２０は、フィルタ１７を固定するストッパである。図１の（ｂ）に示すフィルタ１７の内フィルタストッパ１８は、図１の（ｃ）に示すように、基本カバー１３の図示の右から左方向に挿入して外フィルタストッパ１８と内フィルタストッパ２０の間の部分に丁度入るように挿入した後に回転させて抜けないようにして固定する。
【００２０】
ファンユニット１９は、ファンをドリルシャフト３に固定およびチャック４を当該ファンユニット１９に固定するためのものである。ここでは、図示のように、ファンユニット１９にボールベアリング１９１を取り付けこれにフィルタ１７が接触し、フィルタ１７自身は回転しなく、基本カバー１３の側に固定されるようにするためのものである。
【００２１】
図１の（ｂ）は、フィルタ１７の外観図を示す。フィルタ１７は、内側に内部アルミ１７２、外側に外部アルミ１７１の枠をそれぞれ設け、紙あるいは合成紙などのフィルタ素材を保持するようにしている。また、外部アルミ１７１の外周の４箇所に切り込みを設け、後述する図１の（ｃ）の基本カバー１３の内部の、フィルタの取り付け部分の内フィルタストッパ２０を通過させて外フィルタストッパ１８との間に入れて固定する（交換するときは逆の順序で行う）。
【００２２】
図１の（ｃ）は、基本カバーの内側の図１の（ｂ）のフィルタ１７を収める（固定する）部分の様子を示す。
【００２３】
以上の構成のもとで、ファンユニット１９、カバー１１などを取り付けるときの手順を詳細に説明する。
【００２４】
（１）ファンユニット１９にボールベアリング１９１を一体化する。
（２）ファンユニット１９をドリルシャフト３に固定する。
【００２５】
（３）チャック４をファンユニット１９に固定する。
（４）刃先５をチャック４に固定する。
【００２６】
（５）ピン付板バネ２２を押下しながら、伸縮自在カバー１２と基本カバー１３を一体にしたカバー１１を左から右方向に止まるまで挿入し、ピン板付バネ２２から手を離し、ドリル本体１に固定する（この際、フィルタ１７は、基本カバー１３の右から左方向に挿入して内フィルタストッパ２０を通って外フィルタストッパ１８に突き当てた状態で回転して固定しておく）。
【００２７】
（６）透明な伸縮自在カバー１２の部分から刃先５を目視しながら、被削材９の所望の位置の穴を開けると、モータ２の回転に従い、伸縮自在カバー１１に設けた空気取込穴１４から空気が取り込まれ、刃先５から飛散した微粉がこれら空気と一緒にファンによって吸引されフィルタ１７で収集され、空気のみが基本カバー１３の空気排出穴１５から排出される。
【００２８】
図２は、本発明のファンユニット例を示す。これは、既述した図１の（ａ）のファンユニット１９を拡大した図を示す。ファンユニット１９の右側は、図１のドリルシャフト３に、ここでは、ネジ込みして固定する。左側のネジは図１のチャック４を固定する。ここで、ボールベアリング１９１を図示のように固定して内フィルタストッパ２０を図示のように設けておき、図１の（ｂ）のフィルタ１７の内側アルミ１７２が丁度突き当たるようにして固定され、結果としてはフィルタ１７は基本カバー１３の側に固定し、ファンとはボールベアリング１９１を介して固定され、フィルタ１７がファンに接触することはない。尚、ファンの全体を平坦な網で覆い、フィルタ１７が曲がってもファンに接触しない構造とし、フィルタ１７が破損する事態を防止するようにしてもよい。
【００２９】
図３は、本発明のファンユニット（ネジ式）例を示す。これは、図１のドリルシャフト３、ファンユニット１９、チャック４の部分を拡大した様子を示す。ここで、通常（市販）のドリルのドリルシャフト３にチャック４が直接にネジで固定されていたものを、本発明では図示のように、チャック４を取り外してその間にファンユニット１９を挿入したものである。
【００３０】
図４は、本発明のファンユニット（差込式）例を示す。これは、図３がネジ式であったものに対し、差込式にした例を示す。
【００３１】
図４の（ａ）は、ファンユニット１９の例を示す。ここで、図示のファンユニット１９の右側はドリルシャフト３に差込形式の形状を持たせ、左側はチャック４から差し込まれる形状を持たせている。
【００３２】
図４の（ｂ）は、ファンユニット１９を差込式でドリルチャック３と、チャック４との間に挿入した状態の例を示す。図示のように、図４の（ａ）のファンユニット１９をドリルシャフト３に図示のように差し込んで固定し、更に、左側からチャック４を図示のようにファンユニット１９に差し込んで固定する。
【００３３】
図５は、本発明の他の概略説明図を示す。これは、図１のファンの前に配置したフィルタ１７の代わりに、ファンの後の網１７３と内フィルタ１７４でゴミ箱を作成、および外フィルタ１７５を設けた例を示す。
【００３４】
図５において、網１７３および内フィルタ１７４は、ファンの後に設けてゴミ箱を形成し、多量のゴミ（刃先５で被削材９の穴開け加工したときに飛散した微粉）を収集可能にしたものであって、ゴミ箱を網１７３で形成し、微粉を内フィルタ１７４で収集するようにしたものである。
【００３５】
外フィルタ１７５は、内フィルタ１７４よりも細かい微粉を収集するものである。
以上の構成を持たせることにより、刃先５が被削材９の穴開け加工したときに放出された微粉は網１７３と内フィルタ１７４で構成された大きめのゴミ箱内に収集され、更に、細かい微粉は外フィルタ１７５で収集されることとなる。
【産業上の利用可能性】
【００３６】
本発明は、ドリルの刃先とモータのシャフトとの間にファンおよび集塵用のフィルタを設けると共にこれら周囲を伸縮自在の蛇腹などで覆い、小型かつ簡単な構造で微粉を収集することが可能となる。
【図面の簡単な説明】
【００３７】
【図１】本発明の概略説明図である。
【図２】本発明のファンユニット例である。
【図３】本発明のファンユニット（ネジ式）例である。
【図４】本発明のファンユニット（差込式）例である。
【図５】本発明の他の概略説明図である。
【符号の説明】
【００３８】
１：ドリル本体
２：モータ
３：ドリルシャフト
４：チャック
５：刃先
９：被削材
１１：カバー
１２：伸縮自在カバー
１３：基本カバー
１４：空気取込穴
１５：空気排出穴
１６：バンド止め金具
１７：フィルタ
１７１：外アルミ
１７２：内アルミ
１７３：網
１７４：内フィルタ
１７５：外フィルタ
１８：外フィルタストッパー
１９：ファンユニット
１９１：ボールベリング
２０：内フィルタフトッパー
２１：ピン穴
２２：ピン付板バネ
３１：ドリルストッパー
【図１】
2007083345.tif 000003
【図２】
2007083345.tif 000004
【図３】
2007083345.tif 000005
【図４】
2007083345.tif 000006
【図５】
2007083345.tif 000007